(57)【要約】【課題】  硬貨がエンドレスベルト上に敷き詰められることによる不具合を低コストで解消することができる硬貨収納繰出装置の提供。【解決手段】  上辺部３２上に硬貨を載置させて搬送する正逆回転可能なエンドレスベルト２５と、エンドレスベルト２５の搬送方向に直交する方向の両側部に沿って立設される一対の側壁面３０と、エンドレスベルト２５の搬送方向における上流側に立設される後壁面３１と、エンドレスベルト２５の搬送方向における下流側にあって上辺部３２上の硬貨を停止可能な停止手段３９とを有するものであって、エンドレスベルト２５の上辺部３２の下側に底部材３３を配置し、上辺部３２に凸状部３４を出現させる複数の突起部３５を底部材３３に形成してなる。【選択図】        図３
2005134989.tif 000002
【特許請求の範囲】
【請求項１】
上辺部上に硬貨を載置させて搬送する正逆回転可能なエンドレスベルトと、該エンドレスベルトの搬送方向に直交する方向の両側部に沿って立設される一対の側壁面と、前記エンドレスベルトの搬送方向における上流側に立設される後壁面と、前記エンドレスベルトの搬送方向における下流側にあって前記上辺部上の硬貨を停止可能な停止手段とを有する硬貨収納繰出装置において、
前記エンドレスベルトの前記上辺部の下側に底部材を配置するとともに、前記上辺部に凸状部を出現させる複数の突起部を前記底部材に形成してなることを特徴とする硬貨収納繰出装置。
【請求項２】
前記複数の突起部のすべてが、前記上辺部の搬送方向における中央位置よりも前記後壁面側に設けられていることを特徴とする請求項１記載の硬貨収納繰出装置。
【請求項３】
前記複数の突起部が、前記搬送方向に対し直交する横方向にずれた複数位置に設けられていることを特徴とする請求項１または２記載の硬貨収納繰出装置。
【請求項４】
前記複数の突起部のうちの少なくとも一つが、前記後壁面の直下近傍に設けられていることを特徴とする請求項１乃至３のいずれか一項記載の硬貨収納繰出装置。
【請求項５】
前記複数の突起部が、それぞれ球面形状に形成されていることを特徴とする請求項１乃至４のいずれか一項記載の硬貨収納繰出装置。
【発明の詳細な説明】
【技術分野】
【０００１】
本発明は、硬貨を取り扱う硬貨処理機に設けられる硬貨収納繰出装置に関する。
【背景技術】
【０００２】
上辺部上に硬貨を載置させて搬送する正逆回転可能なエンドレスベルトと、エンドレスベルトの搬送方向に直交する方向の両側部に沿って立設される一対の側壁面と、エンドレスベルトの搬送方向における上流側の縁部に沿って立設される後壁面と、エンドレスベルトの搬送方向における下流側にあって停止ピンを進退させることで上辺部上の硬貨の通過つまり硬貨の繰り出しを制御するソレノイドとを有する硬貨収納繰出装置がある。このような硬貨収納繰出装置においては、複数の硬貨が横倒状態にあってエンドレスベルトの上辺部上において両側壁面と後壁面と停止ピンとの間に隙間無く敷き詰められた状態になると、エンドレスベルトを正転および逆転させても硬貨が動かなくなってしまうことがあった。このような状態では停止ピンに硬貨から荷重が加わることから、ソレノイドを駆動して停止ピンを退避させようとしても停止ピンが動かなくなり、硬貨の繰り出しができなくなってしまう可能性がある。このため、エンドレスベルトの上辺部の下側に偏心カムを設け、この偏心カムを回転させることで上辺部を部分的に持ち上げて硬貨の敷き詰められた状態を崩すようにする技術が提案されている（例えば、特許文献１参照）。
【特許文献１】実用新案登録第２５３９５８１号公報
【発明の開示】
【発明が解決しようとする課題】
【０００３】
上記のような硬貨収納繰出装置では、硬貨がエンドレスベルト上に敷き詰められることによる不具合を解消することはできるが、偏心カムおよびこれを回転駆動するための機構が必要であり、コストが増大してしまうという問題があった。
【０００４】
したがって、本発明は、硬貨がエンドレスベルト上に敷き詰められることによる不具合を低コストで解消することができる硬貨収納繰出装置の提供を目的とする。
【課題を解決するための手段】
【０００５】
上記目的を達成するために、請求項１に係る発明は、上辺部上に硬貨を載置させて搬送する正逆回転可能なエンドレスベルトと、該エンドレスベルトの搬送方向に直交する方向の両側部に沿って立設される一対の側壁面と、前記エンドレスベルトの搬送方向における上流側に立設される後壁面と、前記エンドレスベルトの搬送方向における下流側にあって前記上辺部上の硬貨を停止可能な停止手段とを有する硬貨収納繰出装置において、前記エンドレスベルトの前記上辺部の下側に底部材を配置するとともに、前記上辺部に凸状部を出現させる複数の突起部を前記底部材に形成してなることを特徴としている。
【０００６】
請求項２に係る発明は、請求項１に係る発明において、前記複数の突起部のすべてが、前記上辺部の搬送方向における中央位置よりも前記後壁面側に設けられていることを特徴としている。
【０００７】
請求項３に係る発明は、請求項１または２に係る発明において、前記複数の突起部が、前記搬送方向に対し直交する横方向にずれた複数位置に設けられていることを特徴としている。
【０００８】
請求項４に係る発明は、請求項１乃至３のいずれか一項に係る発明において、前記複数の突起部のうちの少なくとも一つが、前記後壁面の直下近傍に設けられていることを特徴としている。
【０００９】
請求項５に係る発明は、請求項１乃至４のいずれか一項に係る発明において、前記複数の突起部が、それぞれ球面形状に形成されていることを特徴としている。
【発明の効果】
【００１０】
請求項１に係る発明によれば、底部材に形成された複数の突起部がエンドレスベルトの上辺部に複数の凸状部を出現させることになるため、これら凸状部でその上に存在する硬貨を部分的に押し上げて上辺部に対し傾斜させることになり、その結果、隣り合う硬貨の対向する端部同士を上下にずらし上辺部に複数の硬貨が敷き詰められた状態になるのを防止することができる。しかも底部材に突起部を形成するのみであるため、コストを低減することができる。したがって、硬貨がエンドレスベルト上に敷き詰められることによる不具合を低コストで解消することができる。
【００１１】
請求項２に係る発明によれば、複数の突起部のすべてを、上辺部の搬送方向における中央位置よりも後壁面側つまり上流側に設け、搬送方向下流側には設けないため、搬送方向下流側に設けられる繰り出しのための機構に影響を及ぼすことがない。したがって、良好に硬貨を繰り出すことができる。しかも、エンドレスベルトを逆転させると、搬送方向上流側つまり逆転時の下流側に集中配置された複数の突起部による複数の凸状部が、近接する後壁面と協働して効果的に硬貨を崩すことになる。
【００１２】
請求項３に係る発明によれば、複数の突起部が、搬送方向に対し直交する横方向にずれた複数位置に設けられているため、凸状部もエンドレスベルトの上辺部において同様にずれた複数位置に出現することになる。したがって、これら凸状部で複数の硬貨を異なる向きに傾斜させることになり、隣り合う硬貨の対向する端部同士を上下に確実にずらすことができる。よって、上辺部に複数の硬貨が敷き詰められた状態になるのを確実に防止することができる。
【００１３】
複数の硬貨がエンドレスベルトの上辺部上に立ち上がった状態で側壁面同士を結ぶ方向に集積され後壁面で支承されるブリッジ状態となってエンドレスベルトの回転でもこれらが空転して搬送できない状態を生じてしまう可能性があるが、請求項４に係る発明によれば、複数の突起部のうちの少なくとも一つが、後壁面の直下近傍に設けられているため、上記のようなブリッジ状態の硬貨をこの突起部により出現する凸状部で下側から部分的に持ち上げて不安定な状態とすることができる。よって、上記のようなブリッジ状態の硬貨をエンドレスベルトの回転で崩すことができる。
【００１４】
請求項５に係る発明によれば、複数の突起部が、それぞれ球面形状に形成されているため、その上側で移動するエンドレスベルトの上辺部を円滑に滑らせることができる。
【発明を実施するための最良の形態】
【００１５】
本発明の一実施形態の硬貨収納繰出装置を図面を参照して以下に説明する。
図１は、硬貨入出金装置１１と紙幣入出金装置１２とが一体に並設されるとともにＰＯＳレジ等の上位機に接続されて用いられる貨幣入出金機１３を示している。なお、以下の説明において、前は貨幣入出金機１３の操作者側、後は貨幣入出金機１３の操作者に対し反対側、左は貨幣入出金機１３の操作者から見て左、右は貨幣入出金機１３の操作者から見て右である。
【００１６】
硬貨入出金装置１１は貨幣入出金機１３の左右方向における一側具体的には右側に設けられており、紙幣入出金装置１２は左右方向における逆側具体的には左側に設けられている。
【００１７】
硬貨入出金装置１１には、前側つまり操作者側の上部に、外からバラ硬貨が金種が混在する状態で一括して投入される入金口１５と、操作入力が行われる操作部１６とが左右方向に並設されており、具体的にはその右側であって貨幣入出金機１３における右側の端部となる位置に入金口１５が設けられ、その左隣りに操作部１６が設けられている。また、硬貨入出金装置１１には、これら入金口１５および操作部１６の下側つまり前側の下部に、内部からバラ硬貨が金種が混在する状態で一括して出金される出金口１７と、入金時に排除されたリジェクト硬貨が排出されるリジェクト口１８とが左右方向に並設されており、具体的にはその右側であって貨幣入出金機１３における右側の端部となる位置に出金口１７が設けられ、その左隣りにリジェクト口１８が設けられている。
【００１８】
紙幣入出金装置１２は、前側つまり操作者側の上部に、バラ紙幣が金種が混在する状態で外から一括して投入される入金口１９が設けられており、その下側つまり前側の下部に内部からバラ紙幣が金種が混在する状態で一括して出金される出金口２０が設けられている。
【００１９】
硬貨入出金装置１１には、図示は略すが入金口１５に投入された硬貨の真偽および金種を識別して計数するとともに金種別に選別し分離する入金搬送選別部が上部に設けられている。そして、硬貨入出金装置１１には、その下部であって入金搬送選別部の下側となる位置に入金搬送選別部によって金種別に選別された硬貨を金種別に分離した状態で貯留させる第１実施形態の硬貨収納繰出装置２２が設けられている。
【００２０】
本実施形態の硬貨収納繰出装置２２は、図２に示すように、それぞれが前後方向に沿う状態で左右方向に並べられた各金種別の複数具体的には六カ所の出金収納部２４を有している。
【００２１】
各金種別の出金収納部２４は、それぞれの底部を形成するように前後方向に延在する状態で左右方向に並設されるとともにそれぞれ載置させた硬貨を正転時に出金口１７側に搬送する無端のエンドレスベルト２５と、各エンドレスベルト２５の隣り合うものとの間および硬貨収納繰出装置全体の両外側に設けられ、各エンドレスベルト２５同士を区画する壁部２６と、各エンドレスベルト２５の搬送方向上流側となる後側に立設された後壁部２７と、エンドレスベルト２５の上側に左右方向に軸線を配置して設けられ、正転時に、正転するエンドレスベルト２５の搬送方向とは逆方向に対向部分を移動させるようにエンドレスベルト２５と同方向に回転する分離ローラ２８と、エンドレスベルト２５および分離ローラ２８を正逆駆動する共通の駆動源である図３に示す出金用モータ２９とを有している。
【００２２】
各金種別のエンドレスベルト２５は、搬送方向下流側が上側に位置するように傾斜しており、その搬送方向下流側かつ上部側の所定位置に上記した分離ローラ２８が配置されている。
【００２３】
ここで、各エンドレスベルト２５のそれぞれにおいて、図２に示すように、搬送方向に直交する方向の両側に隣り合って設けられた壁部２６は、互いに対向するそれぞれの内面が各エンドレスベルト２５の搬送方向に直交する方向の両側部に沿って立設される側壁面３０を形成する。また、各エンドレスベルト２５のそれぞれにおいて、出金口１７に対し反対側となる後部に設けられる後壁部２７は、その前面が出金口１７に対し反対側つまりエンドレスベルト２５の搬送方向における上流側に立設される後壁面３１を形成する。ここで、各後壁面３１はエンドレスベルト２５の搬送方向に直交する横方向の中央位置が最も後側に位置するように半円筒状をなして凹んでいる。
【００２４】
そして、各金種別の出金収納部２４は、出金用モータ２９の駆動力によりすべてのエンドレスベルト２５を一度に正転させ上辺部３２を出金口１７側つまり前側へ移動させることでバラ硬貨を下流側に搬送することになり、このとき出金用モータ２９の駆動力ですべてのエンドレスベルト２５に共通の分離ローラ２８を正転させることで、出金口１７側に搬送されるバラ硬貨を横倒状態で一枚ずつに分離する。つまり、エンドレスベルト２５と分離ローラ２８との間には、軸線をエンドレスベルト２５の上面に直交させる横倒状態の硬貨が一枚のみ通過可能な隙間が形成されており、この隙間を通過する際に硬貨が一枚ずつに分離される。
【００２５】
各金種別の出金収納部２４は、分離ローラ２８より下流側に設けられ各エンドレスベルト２５の出金口１７側の上面に向けて突出・引込可能で突出する下降時に硬貨の通過を規制し引込む上昇時に硬貨の通過を許容する停止ピン３８を有するソレノイド（停止手段）３９と、ソレノイド３９が停止ピン３８を引込状態とすることでエンドレスベルト２５からシュート部４０を介して出金口１７に出金される硬貨を計数する硬貨検出センサ４１とをそれぞれが有している。そして、共用の出金用モータ２９ですべてのエンドレスベルト２５および分離ローラ２８を正転させるとエンドレスベルト２５と分離ローラ２８との間を横倒状態で硬貨が通過することになるが、ソレノイド３９が停止ピン３８を突出状態とすると硬貨は停止ピン３８の位置を通過できず、よって停止ピン３８よりも搬送方向下流側にある出金口１７に繰り出されることはない。逆にソレノイド３９が停止ピン３８を引込状態とすると硬貨は停止ピン３８の位置を通過でき、よって停止ピン３８よりも搬送方向下流側にある出金口１７に繰り出される。
【００２６】
そして、本実施形態において、各エンドレスベルト２５の上面を形成する上辺部３２の下側には、この上辺部３２を支持するように底板（底部材）３３が上辺部３２のほぼ全面と重ね合わせられるように配置されている。
【００２７】
この底板３３には、各エンドレスベルト２５のそれぞれに対し複数具体的には四カ所ずつ、上辺部３２側に突出することで、重なり合うエンドレスベルト２５の上辺部３２に上方に盛り上がる形状の凸状部３４を出現させる突起部３５が形成されている。これら突起部３５は、プレス成形等で底板３３と一体に形成されており、すべて同じ大きさの球面形状をなしている。
【００２８】
一つのエンドレスベルト２５に設けられる四つの突起部３５のうち、一つの突起部３５（３５Ａ）は後壁面３１の直下近傍に設けられている。具体的に、突起部３５（３５Ａ）は、エンドレスベルト２５に対し搬送方向に直交する横方向の中央に設けられており、しかもエンドレスベルト２５の上辺部３２上に立った状態で後壁面３１に当接する対応金種の硬貨の下端部と搬送方向の位置が重なるように設けられている。
【００２９】
一つのエンドレスベルト２５に設けられる四つの突起部３５のうち、残りの複数具体的には三つの突起部３５（３５Ｂ），３５（３５Ｃ），３５（３５Ｄ）は、搬送方向に対し直交する横方向にずれた複数位置に設けられている。具体的に、突起部３５（３５Ｂ）は、突起部３５（３５Ａ）よりも搬送方向における下流側にあってエンドレスベルト２５の搬送方向に直交する横方向の中央位置よりも一側（右側）にずれて設けられており、突起部３５（３５Ｃ）は、突起部３５（３５Ｂ）よりも搬送方向における下流側にあってエンドレスベルト２５の搬送方向に直交する横方向の中央位置よりも逆側（左側）にずれて設けられていて、突起部３５（３５Ｄ）は、突起部３５（３５Ｃ）よりも搬送方向における下流側にあってエンドレスベルト２５の搬送方向に直交する横方向の中央位置よりも一側（右側）にずれて設けられている。
【００３０】
ここで、エンドレスベルト２５の搬送方向に直交する横方向の中央位置に対する突起部３５（３５Ｂ），３５（３５Ｃ），３５（３５Ｄ）のそれぞれのずれ量は等しくされている。また、突起部３５（３５Ｂ），３５（３５Ｃ），３５（３５Ｄ）の搬送方向の間隔も等しくされている。さらに、すべての突起部３５（３５Ａ），３５（３５Ｂ），３５（３５Ｃ），３５（３５Ｄ）は、エンドレスベルト２５の上辺部３２の搬送方向における中央位置よりも後壁面２７側に設けられている。
【００３１】
以上に述べた本実施形態の硬貨収納繰出装置２２によれば、図４に示すように、底板３３に形成された複数の突起部３５（３５Ａ），３５（３５Ｂ），３５（３５Ｃ），３５（３５Ｄ）が、エンドレスベルト２５の上辺部３２に複数の凸状部３４を出現させることになるため、これら凸状部３４でその上に存在する硬貨Ｃを部分的に押し上げて上辺部３２に対し傾斜させることになり、隣り合う硬貨Ｃの対向する端部同士を上下にずらすことで、複数の硬貨が横倒状態にあって上辺部３２上において両側壁面３０と後壁面３１と突出状態にある停止ピン３８との間に隙間無く敷き詰められた状態になるのを防止することができる。よって、エンドレスベルト２５を正転および逆転させても硬貨が動かなくなり停止ピン３８に荷重が加わって停止ピン３８の動きを阻害してしまうという不具合を生じることがなく、硬貨の繰り出しが良好に行えることになる。しかも底板３３に突起部３５（３５Ａ），３５（３５Ｂ），３５（３５Ｃ），３５（３５Ｄ）を形成するのみであるため、コストを低減することができる。したがって、硬貨がエンドレスベルト２５上に敷き詰められることによる不具合を低コストで解消することができる。
【００３２】
また、複数の突起部３５（３５Ａ），３５（３５Ｂ），３５（３５Ｃ），３５（３５Ｄ）のすべてを、上辺部３２の搬送方向における中央位置よりも後壁面３１側つまり搬送方向上流側に設け、搬送方向下流側には設けないため、搬送方向下流側に設けられる繰り出しのための機構に影響を及ぼすことがない。つまり、相互間のクリアランスによって硬貨を一枚ずつに分離する分離ローラ２８とエンドレスベルト２５とのクリアランスに影響を及ぼすことがない。したがって、良好に硬貨を繰り出すことができる。
【００３３】
しかも、上記のように、複数の突起部３５（３５Ａ），３５（３５Ｂ），３５（３５Ｃ），３５（３５Ｄ）のすべてを、上辺部３２の搬送方向における中央位置よりも後壁面３１側に集中して設けることで、エンドレスベルト２５を逆転させると、搬送方向上流側つまり逆転時の下流側に集中配置された突起部３５（３５Ａ），３５（３５Ｂ），３５（３５Ｃ），３５（３５Ｄ）で形成された各凸状部３４が、近接する後壁面３１と協働して硬貨を効果的に崩すことになる。
【００３４】
加えて、複数の突起部３５（３５Ａ），３５（３５Ｂ），３５（３５Ｃ），３５（３５Ｄ）が、搬送方向に対し直交する横方向にずれた複数位置に設けられているため、凸状部３４もエンドレスベルト２５の上辺部３２において同様にずれた複数位置に出現することになる。したがって、これら凸状部３２で複数の硬貨を異なる向きに傾斜させることになり、隣り合う硬貨の対向する端部同士を上下に確実にずらすことができる。よって、上辺部３２に複数の硬貨が敷き詰められた状態になるのを確実に防止することができる。
【００３５】
さらに、各後壁面３１が半円筒状をなすことでエンドレスベルト２５の上辺部３２上に立ち上がった状態の硬貨を横倒状態とするように案内することになるが、図２および図３に二点鎖線で示すように複数の硬貨Ｃがエンドレスベルト２５の上辺部３２上に立ち上がった状態で側壁面３０同士を結ぶ方向に集積され後壁面３１で支承されるブリッジ状態となってエンドレスベルト２５の回転でもこれらが空転して搬送できない状態が生じてしまう可能性がある。しかし、本実施形態においては、一つの突起部３５（３５Ａ）が、後壁面３１の直下近傍に設けられているため、図５に示すように、上記のようなブリッジ状態の硬貨をこの突起部３５（３５Ａ）により出現する凸状部３４で下側から部分的に持ち上げて不安定な状態とすることができる。よって、上記のようなブリッジ状態の硬貨をエンドレスベルト２５の回転で崩すことができる。
【００３６】
加えて、複数の突起部３５（３５Ａ），３５（３５Ｂ），３５（３５Ｃ），３５（３５Ｄ）が、それぞれ球面形状に形成されているため、その上側で移動するエンドレスベルト２５の上辺部３２を円滑に滑らせることができる。ここで、突起部３５は、上辺部３２の硬貨を持ち上げることにより敷き詰められた状態になるのを防止することができれば、矩形状等の他の形状を採用することも可能である。
【００３７】
本実施形態においては、プレス成形等で底板３３を直接加工することにより突起部３５を形成したが、そのように形成する以外に、別部品を底板３３上に接合させる等して突起部３５を形成しても良い。また、各突起部３５の大きさは、必ずしも同じ大きさである必要はなく、個々に別の大きさに形成しても良い。そうすることで凸状部３４の形状をより複雑に出現させることになり、その上に存在する硬貨Ｃも複雑に押し上げて上辺部３２に対し傾斜させることになり、より効果的に隣り合う硬貨Ｃの対向する端部同士を上下にずらすことが可能になる。
【図面の簡単な説明】
【００３８】
【図１】本発明の一実施形態の硬貨収納繰出装置を含む貨幣入出金装置を示す斜視図である。
【図２】本発明の一実施形態の硬貨収納繰出装置を示す平面図である。
【図３】本発明の一実施形態の硬貨収納繰出装置を示す側断面図である。
【図４】本発明の一実施形態の硬貨収納繰出装置を示す要部の拡大断面図である。
【図５】本発明の一実施形態の硬貨収納繰出装置を示す部分正断面図であって、硬貨のブリッジ状態を示すものである。
【符号の説明】
【００３９】
２２  硬貨収納繰出装置
２５  エンドレスベルト
３０  側壁面
３１  後壁面
３２  上辺部
３３  底板（底部材）
３４  凸状部
３５  突起部
３９  ソレノイド（停止手段）
【図１】
2005134989.tif 000003
【図２】
2005134989.tif 000004
【図３】
2005134989.tif 000005
【図４】
2005134989.tif 000006
【図５】
2005134989.tif 000007